(57)【要約】【課題】  動画像撮影中に静止画像の撮影を可能とすることを、ユーザに違和感を与えることなく実現する。【解決手段】  動画像撮影中に静止画像の撮影が指示された場合に、当該静止画像のデータとして、(B)に示すように、撮影及び記録メディアへの記録を行っている動画像データのうち静止画像撮影指示時に撮影された特定静止画像のデータを識別する画像識別情報を含み、実画像データ((A)参照）を含まないフォーマットのデータを記録メディアに記録する。当該静止画像の表示が指示された場合には、上記の画像識別情報に基づいて動画像データから実画像データ（特定静止画像のデータ）を取得して表示し、当該静止画像のデータが別の記録媒体へ移動又は複写される場合には、(C)に示すように、当該静止画像のデータに動画像データから取得した実画像データを付加して通常のフォーマットへ変換した後に出力する。【選択図】        図５
2006042241.tif 000002
【特許請求の範囲】
【請求項１】
静止画像を一定周期で繰り返し撮影することで動画像の撮影を行い、複数の静止画像のデータから成る動画像データを記録媒体に記録する動画像撮影記録手段と、
静止画像の撮影を指示するための指示手段と、
前記動画像撮影記録手段による動画像撮影中に前記指示手段を介して静止画像の撮影が指示された場合に、前記動画像撮影記録手段によって前記記録媒体に記録される動画像データのうち、静止画像撮影指示時に前記動画像撮影記録手段によって撮影された特定静止画像のデータを識別する画像識別情報を、前記動画像撮影中に撮影が指示された静止画像のデータとして前記記録媒体に記録する記録制御手段と、
前記動画像撮影中に撮影が指示された静止画像のデータの出力が指示された場合に、前記静止画像のデータとして前記記録媒体に記録されている画像識別情報に基づいて、前記記録媒体に記録されている動画像データから、前記静止画像撮影指示時に前記動画像撮影記録手段によって撮影された特定静止画像のデータを取得する第１取得手段と、
前記第１取得手段によって取得された前記特定静止画像のデータを、出力対象の静止画像のデータとして出力する第１出力手段と、
を備えたことを特徴とする撮影記録装置。
【請求項２】
前記記録制御手段は、前記動画像撮影中に撮影が指示された静止画像のデータとして、静止画像撮影指示時に前記動画像撮影記録手段によって撮影された特定静止画像を低解像度化したサムネイル画像データ及び撮影条件を表す撮影情報の少なくとも一方も前記記録媒体に記録することを特徴とする請求項１記載の撮影記録装置。
【請求項３】
請求項１又は請求項２記載の撮影記録装置によって記録媒体に記録されたデータを取り扱うデータ取扱装置であって、
前記動画像撮影中に撮影が指示された静止画像のデータの出力が指示された場合に、前記静止画像のデータとして前記記録媒体に記録されている画像識別情報に基づいて、前記記録媒体に記録されている動画像データから、前記静止画像撮影指示時に前記動画像撮影記録手段によって撮影された特定静止画像のデータを取得する第１取得手段と、
前記第１取得手段によって取得された前記特定静止画像のデータを、出力対象の静止画像のデータとして出力する第１出力手段と、
を備えたことを特徴とするデータ取扱装置。
【請求項４】
前記第１出力手段は、前記動画像撮影中に撮影が指示された静止画像に対する加工が指示された場合には、前記記録媒体に記録されている前記静止画像のデータに指示された加工内容を表す加工情報を追加し、前記動画像撮影中に撮影が指示された静止画像のデータの出力が指示され、かつ該静止画像のデータに前記加工情報が含まれていた場合には、前記第１取得手段によって取得された前記特定静止画像のデータに対し、前記加工情報が表す加工内容の加工を行った後に、加工後のデータを出力対象の静止画像のデータとして出力することを特徴とする請求項３記載のデータ取扱装置。
【請求項５】
請求項１又は請求項２記載の撮影記録装置によって記録媒体に記録されたデータを取り扱うデータ取扱装置であって、
前記動画像撮影中に撮影が指示された静止画像のデータを別の記録媒体へ移動又は複写することが指示された場合に、前記静止画像のデータとして前記記録媒体に記録されている画像識別情報に基づいて、前記記録媒体に記録されている動画像データから、前記静止画像撮影指示時に前記動画像撮影記録手段によって撮影された特定静止画像のデータを取得する第２取得手段と、
前記記録媒体に記録されている前記静止画像のデータに基づき、前記第２取得手段によって取得された前記特定静止画像のデータに、通常の静止画像のデータに付加されているヘッダ情報と同一フォーマットのヘッダ情報を付加し、移動又は複写対象の静止画像のデータとして出力する第２出力手段と、
を備えたことを特徴とするデータ取扱装置。
【請求項６】
コンピュータを、請求項１又は請求項２記載の撮影記録装置によって記録媒体に記録されたデータを取り扱うデータ取扱装置として機能させるためのデータ取扱プログラムであって、
前記コンピュータを、
前記動画像撮影中に撮影が指示された静止画像のデータの出力が指示された場合に、前記静止画像のデータとして前記記録媒体に記録されている画像識別情報に基づいて、前記記録媒体に記録されている動画像データから、前記静止画像撮影指示時に前記動画像撮影記録手段によって撮影された特定静止画像のデータを取得する第１取得手段、
及び、前記第１取得手段によって取得された前記特定静止画像のデータを、出力対象の静止画像のデータとして出力する第１出力手段
として機能させることを特徴とするデータ取扱プログラム。
【請求項７】
コンピュータを、請求項１又は請求項２記載の撮影記録装置によって記録媒体に記録されたデータを取り扱うデータ取扱装置として機能させるためのデータ取扱プログラムであって、
前記コンピュータを、
前記動画像撮影中に撮影が指示された静止画像のデータを別の記録媒体へ移動又は複写することが指示された場合に、前記静止画像のデータとして前記記録媒体に記録されている画像識別情報に基づいて、前記記録媒体に記録されている動画像データから、前記静止画像撮影指示時に前記動画像撮影記録手段によって撮影された特定静止画像のデータを取得する第２取得手段、
及び、前記記録媒体に記録されている前記静止画像のデータに基づき、前記第２取得手段によって取得された前記特定静止画像のデータに、通常の静止画像のデータに付加されているヘッダ情報と同一フォーマットのヘッダ情報を付加し、移動又は複写対象の静止画像のデータとして出力する第２出力手段
として機能させることを特徴とするデータ取扱プログラム。
【発明の詳細な説明】
【技術分野】
【０００１】
本発明は撮影記録装置、データ取扱装置及びプログラムに係り、特に、動画像の撮影中に静止画像の撮影が可能な撮影記録装置、該撮影記録装置によって記録媒体に記録されたデータを取り扱うデータ取扱装置、及び、コンピュータを前記データ取扱装置として機能させるためのデータ取扱プログラムに関する。
【背景技術】
【０００２】
従来より、デジタルスチルカメラ（ＤＳＣ）に、静止画像を撮影する機能に加えて動画像を撮影する機能も搭載した構成が知られている。また、動画像の撮影中に静止画像の撮影が指示された場合に、動画像及び静止画像のデータを記録媒体に各々記録するための技術も提案されている。例えば特許文献１には、時間的に連続した複数の静止画像から成る連写画像の撮影が行われている状態で静止画像の撮影が指示されたときに、記録媒体に記録される連写画像中の対応する静止画像に識別情報を付加し、連写画像中の識別情報が付加された静止画像のみを独立した静止画像として切り出して記録媒体に追加記録すると共に、静止画像が切り出された連写画像を構成する各静止画像の画素数を変更して記録媒体の内容を書き替えることで、動画像撮影中の静止画像撮影時の処理負荷を軽減する技術が開示されている。
【特許文献１】特開２０００−３２４４３３号公報
【発明の開示】
【発明が解決しようとする課題】
【０００３】
しかしながら、特許文献１の技術では、連写画像の撮影後に連写画像中の識別情報が付加されている静止画像を検索し、該当する静止画像が存在していた場合には、該当する静止画像を連写画像から切り出して記録する（更に、ユーザが所望した場合には連写画像を構成する各静止画像の画素数変更も行う）、という比較的高負荷かつ時間の掛かる後処理が必要になる。そして、この後処理が完了する迄の間は撮影を制限せざるを得ないので、連写画像の撮影後ユーザが直ちに次の撮影を行うことができず、ユーザに違和感を与えるという問題がある。また、特許文献１の技術では、上記の後処理を連写画像の再生時に行うことも記載されているものの、この場合にも、ユーザが連写画像の再生を指示して所定の操作を行わないと撮影を指示した静止画像を再生・閲覧できないので、この場合もユーザに違和感を与えることになる。
【０００４】
本発明は上記事実を考慮して成されたもので、動画像撮影中に静止画像の撮影を可能とすることを、ユーザに違和感を与えることなく実現できる撮影記録装置を得ることが第１の目的である。
【０００５】
また本発明は、動画像撮影中に撮影された静止画像を、ユーザに違和感を与えることなく取り扱うことができるデータ取扱装置及びデータ取扱プログラムを得ることが第２の目的である。
【課題を解決するための手段】
【０００６】
第１の目的を達成するために請求項１記載の発明に係る撮影記録装置は、静止画像を一定周期で繰り返し撮影することで動画像の撮影を行い、複数の静止画像のデータから成る動画像データを記録媒体に記録する動画像撮影記録手段と、静止画像の撮影を指示するための指示手段と、前記動画像撮影記録手段による動画像撮影中に前記指示手段を介して静止画像の撮影が指示された場合に、前記動画像撮影記録手段によって前記記録媒体に記録される動画像データのうち、静止画像撮影指示時に前記動画像撮影記録手段によって撮影された特定静止画像のデータを識別する画像識別情報を、前記動画像撮影中に撮影が指示された静止画像のデータとして前記記録媒体に記録する記録制御手段と、前記動画像撮影中に撮影が指示された静止画像のデータの出力が指示された場合に、前記静止画像のデータとして前記記録媒体に記録されている画像識別情報に基づいて、前記記録媒体に記録されている動画像データから、前記静止画像撮影指示時に前記動画像撮影記録手段によって撮影された特定静止画像のデータを取得する第１取得手段と、前記第１取得手段によって取得された前記特定静止画像のデータを、出力対象の静止画像のデータとして出力する第１出力手段と、を備えたことを特徴としている。
【０００７】
請求項１記載の発明に係る撮影記録装置としては、例えばデジタルスチルカメラやデジタルビデオカメラ等を適用できる。請求項１記載の発明では、静止画像を一定周期で繰り返し撮影することによる動画像の撮影が動画像撮影記録手段によって行われ、複数の静止画像のデータから成る動画像データが記録媒体に記録される。また、動画像撮影記録手段による動画像撮影中に指示手段を介して静止画像の撮影が指示された場合に、動画像撮影記録手段によって記録媒体に記録される動画像データのうち、静止画像撮影指示時に動画像撮影記録手段によって撮影された特定静止画像のデータを識別する画像識別情報が、動画像撮影中に撮影が指示された静止画像のデータとして記録制御手段により記録媒体に記録される。なお、上記の画像識別情報は、対応する動画像データを識別する情報（例えば動画像データのファイル名等）と、対応する動画像データ中の特定静止画像のデータを識別する情報（例えば特定静止画像データのフレーム識別情報やタイムスタンプ等）で構成することができる。
【０００８】
このように、請求項１記載の発明では、動画像撮影中に静止画像の撮影が指示された場合に、撮影が指示された静止画像の画像データを動画像データ中の特定静止画像のデータと別に記録媒体へ記録することなく、静止画像撮影指示時に動画像撮影記録手段によって撮影された特定静止画像のデータを識別する画像識別情報を記録媒体に記録するので、記録媒体に記録するデータ量が小さくなり、動画像撮影中に静止画像の撮影が指示された場合の処理負荷を軽減できる。従って、動画像撮影中に静止画像の撮影が指示された場合に、撮影が指示された静止画像のデータを記録媒体に記録することを容易に実現できる。また、特許文献１に記載の技術では、連写画像の撮影中に静止画像の撮影が指示された場合に、連写画像中の対応する静止画像に識別情報を付加しているので、動画像撮影中に撮影が指示された静止画像の有無を確認するためには、識別情報が付加されている静止画像が連写画像中に存在しているか否かを検索する必要があるが、請求項１記載の発明では、動画像撮影中に撮影が指示された静止画像のデータとして上記の画像識別情報を記録するので、前記静止画像のデータ（画像識別情報）の有無に基づいて、動画像撮影中に撮影が指示された静止画像の有無を確認できる。
【０００９】
また、請求項１記載の発明では、動画像撮影中に撮影が指示された静止画像のデータの出力（表示手段への表示を含む）が指示された場合に、前記静止画像のデータとして記録媒体に記録されている画像識別情報に基づいて、記録媒体に記録されている動画像データから、静止画像撮影指示時に動画像撮影記録手段によって撮影された特定静止画像のデータが第１取得手段によって取得され、第１取得手段によって取得された特定静止画像のデータが、第１出力手段により出力対象の静止画像のデータとして出力される。
【００１０】
このように、請求項１記載の発明では、動画像撮影中に撮影が指示された静止画像のデータの出力が指示されると、動画像データから特定静止画像のデータが取得されて出力されるので、動画像の撮影終了後に、動画像撮影中に撮影が指示された静止画像の有無を確認し、該当する静止画像があればデータを取得して記録媒体に記録する等の比較的高負荷かつ時間の掛かる後処理を行う必要がなくなり、動画像の撮影終了後にユーザが直ちに次の撮影を行うことも可能となる。また、動画像撮影中に撮影を指示した静止画像の閲覧・確認等を行うに先立ち、撮影した動画像を再生させる等の特別の操作をユーザが行う必要も無くなる。従って、請求項１記載の発明によれば、動画像撮影中に静止画像の撮影を可能とすることを、ユーザに違和感を与えることなく実現することができる。また請求項１記載の発明では、動画像撮影中に静止画像の撮影が指示された場合に、撮影が指示された静止画像の画像データが動画像データと同一の記録媒体に記録されないので、記録媒体の利用効率が向上する。
【００１１】
なお、請求項１記載の発明において、記録制御手段は、例えば請求項２に記載したように、動画像撮影中に撮影が指示された静止画像のデータとして、静止画像撮影指示時に動画像撮影記録手段によって撮影された特定静止画像を低解像度化したサムネイル画像データ及び撮影条件（例えば撮影日時、画像サイズ、絞り量、シャッター速度、露出補正値等の少なくとも１つ）を表す撮影情報の少なくとも一方も記録媒体に記録することが好ましい。例えば静止画像のデータとしてサムネイル画像データも記録するようにした場合、サイムネイル画像の表示等に際して動画像データから特定静止画像のデータを取得する必要が無くなるので、サムネイル画像の表示等における処理負荷を軽減することができる。また、例えば静止画像のデータとして撮影情報も記録するようにした場合、この撮影情報を写真プリントの作成や静止画像の分類整理等に利用することができる。
【００１２】
また第２の目的を達成するために、請求項３記載の発明に係るデータ取扱装置は、請求項１又は請求項２記載の撮影記録装置によって記録媒体に記録されたデータを取り扱うデータ取扱装置であって、前記動画像撮影中に撮影が指示された静止画像のデータの出力が指示された場合に、前記静止画像のデータとして前記記録媒体に記録されている画像識別情報に基づいて、前記記録媒体に記録されている動画像データから、前記静止画像撮影指示時に前記動画像撮影記録手段によって撮影された特定静止画像のデータを取得する第１取得手段と、前記第１取得手段によって取得された前記特定静止画像のデータを、出力対象の静止画像のデータとして出力する第１出力手段と、を備えたことを特徴としている。
【００１３】
請求項３記載の発明に係るデータ取扱装置は、請求項１又は請求項２記載の撮影記録装置によって記録媒体に記録されたデータを取り扱い可能な装置であればよく、例えばデジタルスチルカメラやデジタルビデオカメラ、コンピュータ等を適用できる。請求項３記載の発明では、請求項１記載の発明と同様の第１取得手段及び第１出力手段が設けられており、動画像撮影中に撮影が指示された静止画像のデータの出力が指示された場合に、前記静止画像のデータとして記録媒体に記録されている画像識別情報に基づいて、記録媒体に記録されている動画像データから、静止画像撮影指示時に動画像撮影記録手段によって撮影された特定静止画像のデータが取得され、取得された特定静止画像のデータが出力対象の静止画像のデータとして出力される。
【００１４】
従って、動画像撮影中に撮影を指示した静止画像の閲覧・確認等を行う場合に、動画像の再生等を行わせる等の特別の操作をユーザが行う必要が無くなり、通常の静止画像（動画像撮影中以外のタイミングで撮影した静止画像）と同一の操作で上記の閲覧・確認等を行うことができるので、動画像撮影中に撮影された静止画像をユーザに違和感を与えることなく取り扱うことができる。
【００１５】
請求項４記載の発明は、請求項３記載の発明において、第１出力手段は、動画像撮影中に撮影が指示された静止画像に対する加工が指示された場合には、記録媒体に記録されている前記静止画像のデータに指示された加工内容を表す加工情報を追加し、動画像撮影中に撮影が指示された静止画像のデータの出力が指示され、かつ該静止画像のデータに加工情報が含まれていた場合には、第１取得手段によって取得された特定静止画像のデータに対し、加工情報が表す加工内容の加工を行った後に、加工後のデータを出力対象の静止画像のデータとして出力することを特徴としている。
【００１６】
前述のように本発明では、静止画像撮影指示時に動画像撮影記録手段によって撮影された特定静止画像のデータが、動画像としても静止画像としても用いられるので、動画像撮影中に撮影が指示された静止画像に対してリサイズやトリミング等の加工が指示された場合に、この指示に応じて特定静止画像のデータを加工してしまうと、特定静止画像データを含む動画像データの再生等に支障が生ずる。これに対して請求項４記載の発明では、動画像撮影中に撮影が指示された静止画像に対する加工が指示された場合には、前記静止画像のデータに指示された加工内容を表す加工情報を追加し、動画像撮影中に撮影が指示された静止画像のデータの出力が指示され、かつ該静止画像のデータに加工情報が含まれていた場合には、動画像データから取得された特定静止画像のデータに対して加工情報が表す加工内容の加工を行った後に出力するので、動画像撮影中に撮影が指示された静止画像に対する加工が指示された場合にも、動画像データの再生等に支障が生ずることを防止することができる。
【００１７】
請求項５記載の発明に係るデータ取扱装置は、請求項１又は請求項２記載の撮影記録装置によって記録媒体に記録されたデータを取り扱うデータ取扱装置であって、前記動画像撮影中に撮影が指示された静止画像のデータを別の記録媒体へ移動又は複写することが指示された場合に、前記静止画像のデータとして前記記録媒体に記録されている画像識別情報に基づいて、前記記録媒体に記録されている動画像データから、前記静止画像撮影指示時に前記動画像撮影記録手段によって撮影された特定静止画像のデータを取得する第２取得手段と、前記記録媒体に記録されている前記静止画像のデータに基づき、前記第２取得手段によって取得された前記特定静止画像のデータに、通常の静止画像のデータに付加されているヘッダ情報と同一フォーマットのヘッダ情報を付加し、移動又は複写対象の静止画像のデータとして出力する第２出力手段と、を備えたことを特徴としている。
【００１８】
前述のように本発明では、動画像撮影中に撮影が指示された静止画像のデータの出力が指示された場合に、動画像データから対応する特定静止画像のデータが取得されるが、前記静止画像のデータが別の記録媒体へ移動又は複写された場合、当該別の記録媒体には対応する動画像データが記録されているとは限らないので、動画像撮影中に撮影が指示された静止画像のデータの出力が指示されても特定静止画像のデータを取得できないことで、指示されたデータの出力を実行できない事態が生ずる可能性もある。
【００１９】
これに対して請求項５記載の発明では、動画像撮影中に撮影が指示された静止画像のデータを別の記録媒体へ移動又は複写することが指示された場合に、前記静止画像のデータとして記録媒体に記録されている画像識別情報に基づいて、記録媒体に記録されている動画像データから静止画像撮影指示時に動画像撮影記録手段によって撮影された特定静止画像のデータが第２取得手段によって取得され、第２出力手段により、記録媒体に記録されている前記静止画像のデータに基づき、取得された特定静止画像のデータに、通常の静止画像のデータに付加されているヘッダ情報と同一フォーマットのヘッダ情報が付加され、移動又は複写対象の静止画像のデータとして出力される。従って、動画像撮影中に撮影が指示された静止画像のデータに対し、別の記録媒体へ移動又は複写された後に出力（例えば閲覧・確認等）が指示された場合にも、通常の静止画像と同様に、該当するデータを確実に出力することができるので、動画像撮影中に撮影された静止画像をユーザに違和感を与えることなく取り扱うことができる。
【００２０】
請求項６記載の発明に係るデータ取扱プログラムは、コンピュータを、請求項１又は請求項２記載の撮影記録装置によって記録媒体に記録されたデータを取り扱うデータ取扱装置として機能させるためのデータ取扱プログラムであって、前記コンピュータを、前記動画像撮影中に撮影が指示された静止画像のデータの出力が指示された場合に、前記静止画像のデータとして前記記録媒体に記録されている画像識別情報に基づいて、前記記録媒体に記録されている動画像データから、前記静止画像撮影指示時に前記動画像撮影記録手段によって撮影された特定静止画像のデータを取得する第１取得手段、及び、前記第１取得手段によって取得された前記特定静止画像のデータを、出力対象の静止画像のデータとして出力する第１出力手段として機能させることを特徴としている。
【００２１】
請求項６記載の発明に係るプログラムは、コンピュータを、上記の第１取得手段及び第１出力手段として機能させるためのプログラムであるので、コンピュータが請求項６記載の発明に係るデータ取扱プログラムを実行することにより、コンピュータが請求項３に記載のデータ取扱装置として機能することになり、請求項３記載の発明と同様に、動画像撮影中に撮影された静止画像を、ユーザに違和感を与えることなく取り扱うことができる。
【００２２】
請求項７記載の発明に係るデータ取扱プログラムは、コンピュータを、請求項１又は請求項２記載の撮影記録装置によって記録媒体に記録されたデータを取り扱うデータ取扱装置として機能させるためのデータ取扱プログラムであって、前記コンピュータを、前記動画像撮影中に撮影が指示された静止画像のデータを別の記録媒体へ移動又は複写することが指示された場合に、前記静止画像のデータとして前記記録媒体に記録されている画像識別情報に基づいて、前記記録媒体に記録されている動画像データから、前記静止画像撮影指示時に前記動画像撮影記録手段によって撮影された特定静止画像のデータを取得する第２取得手段、及び、前記記録媒体に記録されている前記静止画像のデータに基づき、前記第２取得手段によって取得された前記特定静止画像のデータに、通常の静止画像のデータに付加されているヘッダ情報と同一フォーマットのヘッダ情報を付加し、移動又は複写対象の静止画像のデータとして出力する第２出力手段として機能させることを特徴としている。
【００２３】
請求項７記載の発明に係るプログラムは、コンピュータを、上記の第２取得手段及び第２出力手段として機能させるためのプログラムであるので、コンピュータが請求項７記載の発明に係るデータ取扱プログラムを実行することにより、コンピュータが請求項５に記載のデータ取扱装置として機能することになり、請求項５記載の発明と同様に、動画像撮影中に撮影された静止画像を、ユーザに違和感を与えることなく取り扱うことができる。
【発明の効果】
【００２４】
以上説明したように本発明は、動画像撮影中に静止画像の撮影が指示された場合に、記録媒体に記録される動画像データのうち、静止画像撮影指示時に撮影された特定静止画像のデータを識別する画像識別情報を、撮影が指示された静止画像のデータとして記録媒体に記録し、動画像撮影中に撮影が指示された静止画像のデータの出力が指示された場合に、画像識別情報に基づき動画像データから静止画像撮影指示時に撮影された特定静止画像のデータを取得し、取得された特定静止画像のデータを出力するようにしたので、動画像撮影中に静止画像の撮影を可能とすることを、ユーザに違和感を与えることなく実現できる、という優れた効果を有する。
【００２５】
また本発明は、本発明に係る撮影記録装置によって記録媒体に記録されたデータのうち、動画像撮影中に撮影が指示された静止画像のデータの出力が指示された場合に、画像識別情報に基づき動画像データから静止画像撮影指示時に撮影された特定静止画像のデータを取得し、取得された特定静止画像のデータを出力するようにしたので、動画像撮影中に撮影された静止画像を、ユーザに違和感を与えることなく取り扱うことができる、という優れた効果を有する。
【００２６】
また本発明は、本発明に係る撮影記録装置によって記録媒体に記録されたデータのうち、動画像撮影中に撮影が指示された静止画像のデータを別の記録媒体へ移動又は複写することが指示された場合に、画像識別情報に基づき動画像データから静止画像撮影指示時に撮影された特定静止画像のデータを取得し、取得された特定静止画像のデータに通常の静止画像のデータに付加されているヘッダ情報と同一フォーマットのヘッダ情報を付加し、移動又は複写対象の静止画像のデータとして出力するようにしたので、動画像撮影中に撮影された静止画像を、ユーザに違和感を与えることなく取り扱うことができる、という優れた効果を有する。
【発明を実施するための最良の形態】
【００２７】
以下、図面を参照して本発明の実施形態の一例を詳細に説明する。図１には、静止画像及び動画像の撮影記録が可能な撮影記録装置１０が示されている。撮影記録装置１０の本体１２は略箱型とされ、図１（Ａ）に示すように、本体１２の正面側中央やや上寄りにレンズ１４が取付けられている。また、本体１２のレンズ１４の上方には、ユーザが撮影範囲等を目視で確認するための光学ファインダ１６と、補助光を発するためのストロボ１８と、マイクロフォン２０が各々取付けられている。ストロボ１８は、低照度であることが検出された場合や、ユーザによって発光が指示された場合に発光される。
【００２８】
また、本体１２の上面には、正面から見て左側にシャッターボタン２２が設けられており、本体１２の正面から見て左側の側面には、記録メディア６８（図２参照）を装填可能なスロット２４が設けられている。なお、記録メディア６８は本発明に係る記録媒体に対応している。図１（Ｂ）に示すように、本体１２の背面の上方側には光学ファインダ１６と電源スイッチ２６が設けられており、左下方側には、反射型又は透過型のカラーＬＣＤ２８が取付けられている。また、ＬＣＤ２８の右側には、撮影モードの切り替えや各種の設定スイッチ３０が各々取付けられており、更にその右上方には動画像の撮影を行う際に操作される動画記録開始／停止ボタン３１が配設されている。
【００２９】
図２には撮影記録装置１０の電気系の構成が示されている。本体１２内部のレンズ１４の焦点位置に相当する位置には、エリアＣＣＤセンサ３４が配置されており、被写体を反射してレンズ１４に入射された光はエリアＣＣＤセンサ３４の受光面に結像される。エリアＣＣＤセンサ３４は、図示しないタイミング発生回路（図示省略）によって発生されたタイミング信号に同期したタイミングで駆動され、画像信号（受光面上にマトリクス状に配列された多数個の光電変換セルの各々における受光量を表す信号）を出力する。エリアＣＣＤセンサ３４の信号出力端には、Ａ／Ｄ変換器３６、画像信号処理回路３８が順に接続されている。エリアＣＣＤセンサ３４から出力された画像信号は、Ａ／Ｄ変換器３６によってデジタルの画像データに変換されて画像信号処理回路３８へ入力される。画像信号処理回路３８では、入力された画像データに対して色補正・γ補正等の各種処理を行う。
【００３０】
画像信号処理回路３８はバス４０に接続されており、このバス４０には、ＣＰＵ４２、ＤＭＡＣ（ダイレクト・メモリ・アクセス・コントローラ）４４、メディアＩ／Ｆ（インタフェース）部４６、ＹＣ処理回路４８、符号化回路５０、音声信号処理回路５２、液晶／ビデオＩ／Ｆ部５６、メモリコントローラ６０が各々接続されていると共に、電源スイッチ２６・各種の設定スイッチ３０・シャッターボタン２２の半押しや全押し等の操作に応じて接点が切り替わるシャッタースイッチ（図示省略）・動画記録開始／停止ボタン３１の操作に応じて接点が切り替わる動画スイッチ等を含んで構成された操作部６２が接続されている。なお、図示は省略するが、ＣＰＵ４２はＲＯＭ、ＲＡＭ、入出力ポート等の周辺回路を含んで構成されており、液晶／ビデオＩ／Ｆ部５６にはＬＣＤ２８が、メモリコントローラ６０にはＳＤＲＡＭ（シンクロナスＤＲＡＭ）６４及びフラッシュＲＯＭ６６が各々接続されている。
【００３１】
なお、フラッシュＲＯＭ６６には、ＣＰＵ４２で各種の処理を実行するための各種の処理プログラムが予め記憶されており、各種の処理プログラムの中には、後述する動画像撮影処理を行うための動画像撮影プログラム及び後述する静止画像取扱処理を行うための静止画像取扱プログラムが含まれている。
【００３２】
画像（静止画像又は動画像）の撮影時、画像信号処理回路３８から出力された画像データは液晶／ビデオＩ／Ｆ部５６に入力され、液晶／ビデオＩ／Ｆ部５６によって被写体が動画像としてＬＣＤ２８に表示される。また、ユーザによって操作部６２が操作されることで、メニュー画面や各種の設定画面の表示が指示された場合、液晶／ビデオＩ／Ｆ部５６は、予めフラッシュＲＯＭ６６に記憶されている各種画面のデータのうち、表示対象の画面のデータを読み出してＬＣＤ２８に表示させる。
【００３３】
一方、撮影モードが動画像撮影モードの場合、ユーザによって動画記録開始／停止ボタン３１が操作され動画スイッチの接点が切り替わることで開始される動画像撮影記録期間には、被写体が一定周期で繰り返し撮影されることで動画像の撮影が成され、画像信号処理回路３８から一定周期で順次出力される静止画像データは、メモリコントローラ６０を介してＳＤＲＡＭ６４に一時記憶され、ＹＣ処理回路４８によるＹ／Ｃ変換処理、符号化回路５０による符号化（圧縮）処理が順次行われた後に、メディアＩ／Ｆ部４６を介して記録メディア６８に動画像データとして順次記録される。なお、上記の動画像撮影記録期間では、レンズ１４、エリアＣＣＤセンサ３４、Ａ／Ｄ変換器３６、画像信号処理回路３８、メモリコントローラ６０、ＳＤＲＡＭ６４、ＹＣ処理回路４８、符号化回路５０及びメディアＩ／Ｆ部４６が動画像撮影記録手段として機能する。また、上記処理におけるＳＤＲＡＭ６４と各回路間のデータ転送（ダイレクト・メモリ・アクセス）はＤＭＡＣ４４の制御下で行われる。
【００３４】
なお、撮影モードが静止画像撮影モードの場合には、ユーザがシャッターボタン２２を全押ししたタイミングで画像信号処理回路３８から出力された画像データについてのみ、ＳＤＲＡＭ６４への一時記憶、ＹＣ処理回路４８によるＹ／Ｃ変換処理、符号化回路５０による符号化処理、記録メディア６８への記録が行われる。
【００３５】
また、マイクロフォン２０はＡ／Ｄ変換器７０を介して音声信号処理回路５２に接続されており、撮影モードが動画像撮影モードの場合、マイクロフォン２０から出力された音声信号は、Ａ／Ｄ変換器７０によってデジタルの音声データに変換されて音声信号処理回路５２へ入力され、音質補正等の各種処理が施される。音声信号処理回路５２から出力された音声データは、メモリコントローラ６０を介してＳＤＲＡＭ６４に一時記憶された後に、画像データ（動画像データ）と共にメディアＩ／Ｆ部４６を介して記録メディア６８に順次記録される。
【００３６】
また、記録メディア６８に記録されている画像データが表す画像（動画像又は静止画像）の再生（表示）が指示された場合には、記録メディア６８から画像データが読み出されて液晶／ビデオＩ／Ｆ部５６へ転送され、ＬＣＤ２８に動画像又は静止画像が表示（再生）される。なお、液晶／ビデオＩ／Ｆ部５６には増幅器を介してスピーカが接続され（何れも図示省略）、このスピーカはＬＣＤ２８に併設されており、再生対象の画像が動画像の場合は記録メディア６８から音声データも同時に読み出されて液晶／ビデオＩ／Ｆ部５６へ転送されることで、スピーカから音声が出力される。
【００３７】
次に本実施形態の作用として、まず、撮影モードとして動画像撮影モードが選択されている状態で、ユーザによって動画記録開始／停止ボタン３１が操作されることで動画像の撮影及び記録が指示された場合に、フラッシュＲＯＭ６６に記憶されている動画像撮影プログラムがＣＰＵ４２によって実行されることで実現される動画像撮影処理について、図３のフローチャートを参照して説明する。
【００３８】
ステップ１００では、動画像の撮影に伴い画像信号処理回路３８から一定周期で順次出力される静止画像データを、メモリコントローラ６０を介してＳＤＲＡＭ６４に一時記憶させた後に、ＹＣ処理回路４８によるＹ／Ｃ変換処理、符号化回路５０による符号化（圧縮）処理を経て、メディアＩ／Ｆ部４６経由で記録メディア６８に動画像データとして記録させる。次のステップ１０２では、シャッターボタン２２が操作されることで静止画像の撮影が指示されたか否か判定する。なお、シャッターボタン２２は本発明に係る指示手段に対応している。ステップ１０２の判定が否定された場合はステップ１１２へ移行し、動画記録開始／停止ボタン３１が再度操作されることで動画像の撮影及び記録の終了が指示されたか否か判定する。判定が否定された場合はステップ１００に戻り、ステップ１１２の判定が肯定される迄、動画像の撮影及び記録メディア６８への動画像データの記録を繰り返す。
【００３９】
また、動画像の撮影中にシャッターボタン２２が操作されることで静止画像の撮影が指示された場合には、前述のステップ１０２の判定が肯定されてステップ１０４へ移行し、静止画像の撮影が指示されたときに撮影された特定の静止画像の撮影条件（撮影日時、画像サイズ、絞り量、シャッター速度、露出補正値等）を表す撮影情報を取得すると共に、記録メディア６８へ記録中の動画像データを識別するための動画像識別情報及び静止画像の撮影が指示されたときに撮影された特定の静止画像（フレーム）のデータを識別するためのフレーム識別情報を取得し、取得した情報をＳＤＲＡＭ６４に記憶させる。なお、動画像識別情報としては、例えば動画像データのファイル名等の情報を適用することができ、フレーム識別情報としては、例えば前記特定の静止画像のフレーム番号やタイムスタンプ（撮影日時）等の情報を適用することができるが、他の情報を用いてもよい。
【００４０】
また、次のステップ１０６では、動画像の撮影中に撮影が指示された静止画像のヘッダ情報をＳＤＲＡＭ６４上で生成する。通常の静止画像（例えば撮影モードとして静止画像撮影モードが選択されている状態で撮影された静止画像）のデータのヘッダ情報は、図５（Ａ）に示すように撮影情報、実画像データアドレス（例えばヘッダ情報の先頭アドレスと実画像データ（画像データ本体）の先頭アドレスとの隔たりをバイト数で表す情報）、符号化テーブル等の情報で構成されているが、本実施形態では動画像の撮影中に撮影が指示された静止画像のデータに実画像データを含めないため、図５（Ｂ）に示すように、動画像の撮影中に撮影が指示された静止画像のデータにおけるフォーマットを、実画像データアドレスを省略する一方、実画像データを識別するための画像識別情報（この画像識別情報は前述の動画像識別情報とフレーム識別情報から成る）を追加したフォーマットとしており、ステップ１０６では、先のステップ１０４で取得した情報に基づいて図５（Ｂ）に示すフォーマットのヘッダ情報を生成する。
【００４１】
ステップ１０８では、動画像の撮影中に静止画像の撮影が指示されたときに撮影された特定の静止画像のデータ（実画像データ）を取得し、取得した実画像データを低解像度化することで、特定の静止画像のサムネイル画像データをＳＤＲＡＭ６４上で生成する。そしてステップ１１０では、ステップ１０６で生成したヘッダ情報とステップ１０８で生成したサムネイル画像データを、動画像の撮影中に撮影が指示された静止画像のデータとして記録メディア６８に記録し、ステップ１１２へ移行する。なお、上述したステップ１０４〜１１０では、処理に比較的長い時間がかかる記録メディア６８への実画像データの記録を行っていないため、ステップ１０４〜１１０の処理は非常に短い時間で完了すると共に、ＣＰＵ４２に大きな負荷が加わることも防止される。ステップ１０４〜１１０は本発明に係る記録制御手段（詳しくは請求項２に記載の記録制御手段）に相当する処理であり、ステップ１０４〜１１０の処理を実行するＣＰＵ４２は本発明に係る記録制御手段（詳しくは請求項２に記載の記録制御手段）として機能する。
【００４２】
また、ステップ１０４〜１１０の処理は動画像の撮影中に静止画像の撮影が指示される度に実行され、静止画像の撮影が指示される毎に、撮影が指示された静止画像のデータとして図５（Ｂ）に示すフォーマットのデータが記録メディア６８に記録される。そして、動画記録開始／停止ボタン３１が再度操作されることで動画像の撮影（及び記録）の終了が指示されると、ステップ１１２の判定が肯定されて動画像撮影処理を終了する。
【００４３】
続いて、記録メディア６８に記録されている静止画像データ（動画像の撮影中に撮影が指示された静止画像のデータを含む）に対し、サムネイル画像の表示やより高解像度での画像表示（以下、単に「画像表示」という）、画素数を変更するリサイズ、トリミング、画像データの移動、画像データの複写等の各種処理のうちユーザが所望する処理の実行が要求される際に、フラッシュＲＯＭ６６に記憶されている静止画像取扱プログラムがＣＰＵ４２によって実行されることで実現される静止画像取扱処理について、図４のフローチャートを参照して説明する。この静止画像取扱プログラムは請求項６及び請求項７に記載のデータ取扱プログラムに各々対応しており、ＣＰＵ４２が静止画像取扱プログラムを実行することで、撮影記録装置１０は請求項３及び請求項５に記載のデータ取扱装置として機能する。
【００４４】
なお、本実施形態では、動画像の撮影中に撮影が指示された静止画像についても、通常の静止画像とはフォーマットが異なるものの、図５（Ｂ）に示すフォーマットのデータが記録メディア６８に記録されるので、動画像データ中の対応するデータの検索等の後処理を行うことなく、先に説明した動画像撮影処理が行われた段階で、動画像の撮影中に撮影が指示された静止画像を含む記録メディア６８にデータが記録されている全ての静止画像を、静止画像取扱処理の処理対象とすることが可能な静止画像として一覧表示することができる。
【００４５】
静止画像取扱処理では、まずステップ１２０において、特定の静止画像を処理対象として所望の処理の実行を要求する情報を受信したか否か判定し、判定が否定された場合はステップ１２０を繰り返す。ユーザが各種の設定スイッチ３０を操作することで、処理対象としての特定の静止画像を選択すると共に、処理対象の静止画像に対して所定の処理の実行を要求する操作を行うと、ステップ１２０の判定が肯定されてステップ１２２へ移行し、処理対象の静止画像のデータを記録メディア６８からＳＤＲＡＭ６４へ取り込む。ステップ１２４では実行が要求されている処理がＬＣＤ２８へのサムネイル画像の表示か否か判定する。
【００４６】
判定が肯定された場合はステップ１２６へ移行し、ステップ１２２で記録メディア６８よりＳＤＲＡＭ６４へ取り込んだ処理対象の静止画像のデータの中から、処理対象の静止画像のサムネイル画像データを抽出する。なお、図５（Ａ）及び（Ｂ）からも明らかなように、サムネイル画像データは、通常の静止画像のデータ及び動画像の撮影中に撮影が指示された静止画像のデータの何れにも含まれているので、処理対象の静止画像が上記何れの静止画像であったとしても、処理対象の静止画像のデータからのサムネイル画像データの抽出は可能である。そしてステップ１２８では、抽出したサムネイル画像データをＳＤＲＡＭ６４から液晶／ビデオＩ／Ｆ部５６へ出力することで、処理対象の静止画像のサムネイル画像をＬＣＤ２８に表示させ、静止画像取扱処理を終了する。なお、サムネイル画像の表示では、処理対象の静止画像として複数の静止画像が選択される場合があるが、この場合には、ステップ１２２で複数の静止画像のデータが記録メディア６８からＳＤＲＡＭ６４へ取り込まれ、ステップ１２６で複数の静止画像のデータからサムネイル画像データが各々抽出され、ステップ１２８で複数のサムネイル画像データがＳＤＲＡＭ６４から液晶／ビデオＩ／Ｆ部５６へ各々出力されることで、ＬＣＤ２８には処理対象の複数の静止画像のサムネイル画像が一覧表示されることになる。
【００４７】
また、ステップ１２４の判定が否定された場合はステップ１３０へ移行し、ステップ１２２で取り込んでＳＤＲＡＭ６４に記憶している処理対象の静止画像のデータのフォーマットに基づいて、処理対象の静止画像は動画像撮影中に撮影が指示された静止画像か否か判定する。処理対象の静止画像が通常の静止画像（動画像撮影中以外のタイミングで撮影が指示された静止画像）であった場合には、判定が否定されてステップ１３２へ移行し、先のステップ１２２で記録メディア６８からＳＤＲＡＭ６４へ取り込んだ静止画像のデータに基づき、処理対象の静止画像に対して要求された処理（画像表示、リサイズ、トリミング、画像データの移動、画像データの複写等の何れか）を実行し、静止画像取扱処理を終了する。
【００４８】
一方、処理対象の静止画像が動画像撮影中に撮影が指示された静止画像であった場合には、ステップ１３０の判定が肯定されてステップ１３４へ移行し、先のステップ１２２で記録メディア６８よりＳＤＲＡＭ６４へ取り込んだ処理対象の静止画像のデータからヘッダ情報に含まれる画像識別情報を抽出し、抽出した画像識別情報のうちの動画像識別情報に基づいて、記録メディア６８に記録されている動画像データのうち処理対象の静止画像に対応する動画像データ（処理対象の静止画像の撮影が指示されたときに撮影が行われていた動画像のデータ）を判断すると共に、抽出した画像識別情報のうちのフレーム識別情報に基づいて、前記対応する動画像データを構成する複数の静止画像データのうち処理対象の静止画像に対応する特定の静止画像（処理対象の静止画像の撮影が指示されたときに撮影された特定の静止画像）のデータを判断し、判断した特定の静止画像のデータ（実画像データ）を記録メディア６８から取得し、取得した実画像データをＳＤＲＡＭ６４に記憶させる。なお、ステップ１３４は本発明に係る第１取得手段及び第２取得手段に各々対応している。
【００４９】
次のステップ１３６では、実行が要求されている処理がＬＣＤ２８への画像表示か否か判定する。判定が肯定された場合はステップ１３８へ移行し、ステップ１２２でＳＤＲＡＭ６４へ取り込んだ処理対象の静止画像のデータに加工情報（詳細は後述）が付加されているか否か判定する。判定が否定された場合はステップ１４２へ移行し、先のステップ１３４で取得した処理対象の静止画像の実画像データをＳＤＲＡＭ６４から液晶／ビデオＩ／Ｆ部５６へ出力することで、処理対象の静止画像を前述のサムネイル画像よりも高解像度でＬＣＤ２８に表示させた後に、静止画像取扱処理を終了する。
【００５０】
また、ステップ１３６の判定が否定された場合はステップ１４４へ移行し、実行が要求されている処理が処理対象の静止画像の加工（処理対象の静止画像のリサイズ又はトリミング）か否か判定する。判定が肯定された場合はステップ１４６へ移行し、実行が要求されている処理が処理対象の静止画像のリサイズであれば、リサイズを所望しているユーザが各種の設定スイッチ３０を操作することで入力されるリサイズ情報（処理対象の静止画像に対するリサイズをどのように行うかを規定する情報）を取得し、実行が要求されている処理が処理対象の静止画像のトリミングであれば、トリミングを所望しているユーザが各種の設定スイッチ３０を操作することで入力されるトリミング情報（処理対象の静止画像に対してどのようなトリミングを行うかを規定する情報）を取得する。
【００５１】
次のステップ１４８では、ステップ１４６で取得したリサイズ情報又はトリミング情報を編集することで所定のフォーマットの加工情報をＳＤＲＡＭ６４上で生成し、生成した加工情報をＳＤＲＡＭ６４に記憶されているヘッダ情報に付加することで、ステップ１２２で記録メディア６８からＳＤＲＡＭ６４へ取り込んだ処理対象の静止画像のデータを更新する。また、更新後のデータを記録メディア６８に書き込むことで、記録メディア６８に記録されている処理対象の静止画像のデータの原本も書き替える。そしてステップ１５０では、ヘッダ情報に付加した加工情報に基づき、処理対象の静止画像の実画像データに対してＳＤＲＡＭ６４上でリサイズ処理又はトリミング処理を行った後に、リサイズ処理又はトリミング処理後の実画像データをＳＤＲＡＭ６４から液晶／ビデオＩ／Ｆ部５６へ出力し、静止画像取扱処理を終了する。これにより、ＬＣＤ２８にはユーザの指示に応じてリサイズ又はトリミングが行われた処理対象の静止画像が表示されることになる。
【００５２】
なお、上記のリサイズ処理又はトリミング処理は記録メディア６８からＳＤＲＡＭ６４へ読み出した実画像データに対して行われ、記録メディア６８に記録されている処理対象の静止画像の実画像データの原本（処理対象の静止画像に対応する動画像データを構成する複数の静止画像データの１つとして記録メディア６８に記録されている特定の静止画像のデータ）は何ら変更されないので、処理対象の静止画像に対応する動画像データの再生等に悪影響を及ぼすことはない。
【００５３】
また、上記処理によってヘッダ情報に加工情報が付加した静止画像に対して「画像表示」の実行が指示された場合には、先のステップ１３８の判定が肯定されてステップ１４０へ移行し、先に説明したステップ１５０と同様に、ヘッダ情報に付加されている加工情報に基づき、処理対象の静止画像の実画像データに対してＳＤＲＡＭ６４上でリサイズ処理又はトリミング処理を行った後にステップ１４２へ移行する。従って、この場合もリサイズ又はトリミングが行われた処理対象の静止画像がＬＣＤ２８に表示されることになる。なお、このステップ１３８〜１４２は、先に説明したステップ１４４〜１４８と共に本発明に係る第１出力手段（詳しくは請求項４に記載の第１出力手段）に対応している。
【００５４】
また、ステップ１４４の判定が否定された場合はステップ１５２へ移行し、実行が要求されている処理が、処理対象の静止画像のデータの移動又は複写か否か判定する。例えば本実施形態に係る撮影記録装置１０がパーソナル・コンピュータ（ＰＣ）等の外部機器と接続され、この外部機器から処理対象の静止画像のデータの移動又は複写が指示された場合には、ステップ１５２の判定が肯定されてステップ１５４へ移行し、例として図５（Ｃ）にも示すように、ＳＤＲＡＭ６４に記憶されている処理対象の静止画像のヘッダ情報を通常の静止画像と同一フォーマットへ変更する（具体的には、画像識別情報記憶領域を削除すると共に実画像データアドレス記憶領域を追加する）と共に、フォーマット変更後のヘッダ情報に必要情報（実画像データアドレス）を設定する。
【００５５】
そしてステップ１５６では、更新したヘッダ情報及び実画像データ（通常のフォーマットへ変換された処理対象の静止画像のデータ）をＳＤＲＡＭ６４から外部機器へ出力する。これにより、撮影記録装置１０から入力されたデータ（通常のフォーマットへ変換された処理対象の静止画像のデータ）が、外部機器によって記録メディア６８とは別の記録媒体（例えば外部機器としてのＰＣに内蔵されているハードディスクドライブや、外部機器としてのＰＣに接続されている他の記録メディア等）に書き込まれることになる。なお、ステップ１５２〜１５６は本発明に係る第２出力手段に対応している。
【００５６】
次のステップ１５８では、実行が要求されている処理が処理対象の静止画像のデータの移動か否か判定する。判定が否定された場合は何ら処理を行うことなく静止画像取扱処理を終了するが、判定が肯定された場合はステップ１６０へ移行し、処理対象の静止画像のデータを記録メディア６８から削除した後に静止画像取扱処理を終了する。なお、先のステップ１５２の判定が否定された場合（実行が要求された処理が他の処理である場合）はステップ１３２へ移行し、要求された処理を実行した後に静止画像取扱処理を終了する。
【００５７】
なお、上記では請求項６及び請求項７に記載のデータ取扱プログラムに対応する静止画像取扱プログラムを撮影記録装置１０のＣＰＵ４２が実行することで、撮影記録装置１０が請求項３及び請求項５に記載のデータ取扱装置として機能する態様を説明したが、本発明はこれに限定されるものではなく、記録メディア６８からの情報の読み出し及び記録メディア６８への情報の書き込みが可能なメディアリーダ／ライタが接続されたコンピュータ（のＣＰＵ）で上記の静止画像取扱プログラムを実行させることで、前記コンピュータを本発明に係るデータ取扱装置として機能させることも可能である。
【図面の簡単な説明】
【００５８】
【図１】本実施形態に係る撮影記録装置の外観を示す斜視図である。
【図２】撮影記録装置の概略ブロック図である。
【図３】動画像撮影処理の内容を示すフローチャートである。
【図４】静止画像取扱処理の内容を示すフローチャートである。
【図５】（Ａ）は通常の静止画像データのフォーマット、（Ｂ）は動画像撮影中に撮影が指示された静止画像データのフォーマット、（Ｃ）は（Ｂ）の静止画像データを移動／複写する際のフォーマット変換を各々示すイメージ図である。
【符号の説明】
【００５９】
１０  撮影記録装置
２２  シャッターボタン
３０  設定スイッチ
３１  動画記録開始／停止ボタン
３４  エリアＣＣＤセンサ
３６  Ａ／Ｄ変換器
３８  画像信号処理回路
４６  メディアＩ／Ｆ部
４８  ＹＣ処理回路
５０  符号化回路
６２  操作部
６４  ＳＤＲＡＭ
６８  記録メディア
【図１】
2006042241.tif 000003
【図２】
2006042241.tif 000004
【図３】
2006042241.tif 000005
【図４】
2006042241.tif 000006
【図５】
2006042241.tif 000007